(57)【特許請求の範囲】
【請求項１】
長手方向に延びる平面部及び当該平面部の長手方向の両端部に形成される斜面部を有する一対のクリップ片を、前記平面部及び前記斜面部が互いに対向するように組み合わせてなるクリップ本体と、
前記平面部における長手方向の両側部に配置され、前記一対のクリップ片を吸着力によって連結させる磁石と、
前記平面部の中央部に、前記平面部の長手方向に沿って複数並べられ、対向する平面部側に移動可能でかつ前記平面部の長手方向に沿って回転可能に設けられる複数のローラと、
前記ローラが対向する前記クリップ片側に、前記複数のローラを付勢する第１ばね部材とを備え、
前記クリップ片の前記平面部の中央部には、前記ローラ及び前記第１ばね部材が収納される直方体型の第１凹部が形成され、
前記クリップ本体は、前記平面部のいずれか一方の端部において互いに対向する前記斜面部が閉じられた場合に、前記平面部の一方の端部の前記磁石同士が吸着した部位を軸として前記一対のクリップ片が回動して前記平面部の他方の端部が離間するとともに、前記平面部の他方の端部の前記磁石が互いに吸着可能な距離に位置し、
前記一対のクリップ片に設けられた前記ローラは、前記一対のクリップ片の両端部の前記磁石が互いに吸着している状態において、互いに当接することを特徴とする電線クリップ。
【請求項２】
前記第１凹部を長手方向に並ぶように複数に区画する仕切部を更に備え、
前記ローラは、前記第１凹部における個々の区画内部に収納され、
前記第１ばね部材は、前記区画内部における前記長手方向に対して垂直方向の両側部に配置されることを特徴とする請求項１記載の電線クリップ。
【請求項３】
前記仕切部における前記クリップ片に対向する端部にゴム部材が設けられることを特徴とする請求項２記載の電線クリップ。
【請求項４】
前記平面部における長手方向の両側部に第２凹部が形成され、
前記第２凹部の内部に収納され、前記第２凹部が対向する前記クリップ片側にスライド移動するスライド部材と、
前記第２凹部の内部に収納され、前記スライド部材を前記第２凹部が対向する前記クリップ片側に付勢する第２ばね部材と、を更に備え、
前記磁石は、前記スライド部材に固定され、前記第２ばね部材の付勢によって前記クリップ片から突出することを特徴とする請求項１乃至３のいずれか１項記載の電線クリップ。
【発明の詳細な説明】
【技術分野】
【０００１】
本発明は、高圧架空電線に高圧引下線を仮止めする場合等に用いられる電線クリップに関し、特に、クリップ本体の長手方向のいずれの側からも電線に着脱させることが可能な電線クリップに関する。
【背景技術】
【０００２】
高圧引下線は、分岐コネクタを介して高圧架空電線に接続されるが、この分岐コネクタの取付け・取外し作業においては、作業の容易化を図るために高圧引下線を高圧架空電線に仮止めすることが行われる。
【０００３】
従来、このような仮止め作業には、高圧引下線と高圧架空電線とを同時に挟み込む電線クリップが用いられている。電線クリップとしては、一対のクリップ片を組み合わせてなるクリップ本体を備え、クリップ本体の基端側を閉じることによって先端側が開かれ、先端側に電線を位置付けた後に基端側を開くことによって、先端側に電線を把持させる構成のものが一般的ある。
【０００４】
また、従来、この種の電線クリップとして、特許文献１に記載されている線状体仮支持具が提案されている。特許文献１には、対をなす線状体保持片の両側におけるどちらの側から電線にアプローチしても電線に着脱させることが可能な電線クリップについて開示されている。
【先行技術文献】
【特許文献】
【０００５】
【特許文献１】特開２０１２−１１５０３７号公報
【発明の概要】
【発明が解決しようとする課題】
【０００６】
ところで、電線クリップを電線に取付ける際には、間接活線工具にクリップ本体の基端側を把持させ、作業員が間接活線工具を操作することによって、クリップ本体の基端側を閉じて先端側を開いてから、電線に電線クリップを取付けている。
【０００７】
ここで、電線クリップの取付及び取外し作業においては、間接活線工具から電線クリップが外れることなくスムーズに作業を進める必要がある。この点で、特許文献１に記載された線状体仮支持具においては、線状体仮支持具のどちらの側から電線にアプローチしても線状体に着脱させることが可能であるため、例えば、取付けの際には一方の端部側を操作し、取外しの際には他方の端部側を操作することが可能であるため、電線クリップの電線への取付及び取外しを行う際の作業性を向上させること可能である。
【０００８】
しかし、特許文献１のように、電線クリップのどちらの側からでも電線にアプローチ可能なタイプの電線クリップにおいては、電線を一方の端部側から他方の端部側へあるいは電線を他方の端部側から一方の端部側へと移動させる必要がある。このため、電線クリップの電線への取付及び取外しの作業性を向上させるためには、電線がよりスムーズに一対のクリップ片の間を移動可能になることが望まれる。
【０００９】
本発明は、このような問題点を解決し、電線に対する取付け、取外しを円滑に行えることを実現した電線クリップを提供することを目的とする。
【課題を解決するための手段】
【００１０】
前記目的を達成するため、本発明は、次に記載する構成を備えている。
【００１１】
（１）  長手方向に延びる平面部及び当該平面部の長手方向の両端部に形成される斜面部を有する一対のクリップ片を、前記平面部及び前記斜面部が互いに対向するように組み合わせてなるクリップ本体と、前記平面部における長手方向の両側部に配置され、前記一対のクリップ片を吸着力によって連結させる磁石と、前記平面部の中央部に、前記平面部の長手方向に沿って複数並べられ、対向する平面部側に移動可能でかつ前記平面部の長手方向に沿って回転可能に設けられる複数のローラと、前記ローラが対向する前記クリップ片側に、前記複数のローラを付勢する第１ばね部材とを備え、前記クリップ片の前記平面部の中央部には、前記ローラ及び前記第１ばね部材が収納される直方体型の第１凹部が形成され、前記クリップ本体は、前記平面部のいずれか一方の端部において互いに対向する前記斜面部が閉じられた場合に、前記平面部の一方の端部の前記磁石同士が吸着した部位を軸として前記一対のクリップ片が回動して前記平面部の他方の端部が離間するとともに、前記平面部の他方の端部の前記磁石が互いに吸着可能な距離に位置し、前記一対のクリップ片に設けられた前記ローラは、前記一対のクリップ片の両端部の前記磁石が互いに吸着している状態において、互いに当接することを特徴とする電線クリップ。
【００１２】
（１）によれば、一対のクリップ片の両端部の磁石が互いに吸着している状態においては、互いに対向するローラがバネの付勢によって当接した状態にある。また、電線に電線クリップを取付ける際には、間接活線工具を用いてクリップ本体の一方の端部で互いに対向する斜面部が閉じられることにより、クリップ本体の他方の端部が開かれ、他方の端部から電線の挿入が可能になる。そして、電線クリップに電線を挿入した場合に、電線は、バネによって付勢される互いに対向するローラによって把持される。更に、間接活線工具が電線クリップから外された場合に、クリップ本体の他方の端部において互いに対向する磁石間に吸着力が作用することにより、クリップ本体の他方の端部が閉じようとする。このように、電線に電線クリップが取付けられた際に、電線に磁石の吸着力及びバネの付勢力が作用するようになり、電線が電線クリップによって確実に把持される。
【００１３】
また、電線クリップを電線に対して取付及び取外しを行う際に、電線クリップを電線に対して押し込んだり引いたりすることにより、電線が、互いに対向する平面部の間をローラの回転に沿って移動する。このため、電線に対する電線クリップの取付及び取外しを円滑に行うことが可能になる。
【００１４】
（２）  （１）において、前記第１凹部を長手方向に並ぶように複数に区画する仕切部を更に備え、前記ローラは、前記第１凹部における個々の区画内部に収納され、前記第１ばね部材は、前記区画内部における前記長手方向に対して垂直方向の両側部に配置されることを特徴とする電線クリップ。
【００１５】
（２）によれば、ローラが、区画された凹部の内部に設けられているため、一対のクリップ片のローラ同士が確実に対向するようになり、互いに対向するローラによって電線を確実に把持させることが可能になる。更に、ローラは、電線クリップの電線に対する取付及び取外し時において、電線が互いに対向するローラ間を通過する際に回転しながら凹部内に押し込まれる。これにより、電線クリップを電線に取付けた状態において、互いに対向する平面部の間を電線が容易に移動することが可能になる。
【００１６】
（３）  （２）において、前記仕切部における前記クリップ片に対向する端部にゴム部材が設けられることを特徴とする電線クリップ。
【００１７】
（３）によれば、電線が、ローラとともに２つのゴム部材によって挟持されるようになるため、電線に電線クリップを確実に取付けることが可能になる。
【００１８】
（４）  （１）〜（３）において、前記平面部における長手方向の両側部に第２凹部が形成され、前記第２凹部の内部に収納され、前記第２凹部が対向する前記クリップ片側にスライド移動するスライド部材と、前記第２凹部の内部に収納され、前記スライド部材を前記第２凹部が対向する前記クリップ片側に付勢する第２ばね部材と、を更に備え、前記磁石は、前記スライド部材に固定され、前記第２ばね部材の付勢によって前記クリップ片から突出することを特徴とする電線クリップ。
【００１９】
（４）によれば、例えば、クリップ本体において対をなす一方の斜面部が閉じられ、他方の斜面部が互いに離間している場合に、他方の斜面部近傍の磁石が平面部から突出することにより、他方の斜面部側において互いに対向する磁石間の距離が短くなる。これにより、磁石間の吸着力が強く作用するため、離間している他方の斜面部側を閉じる方向に付勢することが可能になる。これにより、電線クリップにおける電線を把持する力を強くすることができる。
【発明の効果】
【００２０】
本発明によれば、電線に対する取付及び取外しを円滑に行えることを実現した電線クリップを提供することが可能になる。
【図面の簡単な説明】
【００２１】
【図１】本発明の第１実施形態における電線クリップ１の外観を示す一部断面を含む斜視図である。
【図２】各種の部材を取付けたクリップ片１２の外観を示す説明図である。
【図３】図２（ａ）の断面図である。
【図４】ローラ１６の取付構造を示す斜視図である。
【図５】第１実施形態の電線クリップ１の内部構成を示す断面図である。
【図６】電線クリップ１を活線工具５０で挟んだ状態を示す説明図である。
【図７】電線クリップ１を活線工具５０で挟んだ状態を示す説明図である。
【図８】第２実施形態の電線クリップ１の内部構成を示す断面図である。
【図９】第２実施形態の電線クリップ１を活線工具５０で挟んだ状態を示す説明図である。
【図１０】第２実施形態の電線クリップ１を電線に取付けた状態を示す説明図である。
【発明を実施するための形態】
【００２２】
以下、本発明の実施形態について、図面を参照しながら詳細に説明する。
［第１実施形態］
図１は、本発明の第１実施形態における電線クリップ１の外観を示す斜視図である。電線クリップ１は、クリップ本体１０と、磁石１４と、ローラ１６と、第１ばね部材に相当するコイルばね１８（図２参照）と、キャップ２０と、ゴム部材２２とを備えている。
【００２３】
クリップ本体１０は、一対のクリップ片１２、１２によって構成されている。クリップ片１２は、長手方向に延びる直方体形状の平面部１２ａと、平面部１２ａの両端部に形成され、長手方向に沿って斜め方向に延びる斜面部１２ｂ、１２ｂとを有している。また、一対のクリップ片１２、１２はそれぞれ同一形状であり、一対のクリップ片１２、１２にそれぞれ装着される部材、すなわち、磁石１４と、ローラ１６と、コイルばね１８（図２参照）と、キャップ２０と、ゴム部材２２とは同一形状である。クリップ本体１０は、中央部において一対のクリップ片１２、１２の平面部１２ａが当接し、両端部において斜面部１２ｂ、１２ｂがＶ字状に対向している。
【００２４】
図２は各種の部材を取付けたクリップ片１２の外観を示す説明図であり、図２（ａ）は平面図、図２（ｂ）は側面図である。また、図３は図２（ａ）の断面図であり、図３（ａ）はＡＡ線断面図、図３（ｂ）はＢＢ線断面図である。なお、以下の説明の便宜上、クリップ片１２における図２（ａ）に示す面を表面と称する。また、図２（ａ）に示すクリップ片１２において、長手方向（図２（ａ）のＸ方向）に対して垂直な方向を幅方向（図２（ａ）のＹ方向）と称する。また、図２（ｂ）に示すクリップ片１２において、長手方向（図２（ａ）のＸ方向）に対して垂直な方向を接離方向（図２（ｂ）のＺ方向）と称する。長手方向、幅方向及び接離方向は互いに垂直である。
【００２５】
図２（ａ）に示すように、クリップ片１２の表面における平面部１２ａと斜面部１２ｂとの境界部分には、凹部１２ｃが形成されている。凹部１２ｃは、クリップ片１２の表面に２箇所形成されている。また、平面部１２ａと斜面部１２ｂとの境界部分の表面は、円弧面に形成されている。
【００２６】
また、平面部１２ａの表面における２つの凹部１２ｃの間の領域には、長手方向に延びる直方体型の凹部１２ｄが形成されている。この凹部１２ｄは第１凹部に相当する。凹部１２ｄの内部には、板状の仕切部１２ｅが複数立設されており、凹部１２ｄは、複数の仕切部１２ｅによって複数の区画凹部１２ｆに区画される。複数の区画凹部１２ｆは、長手方向に沿って等間隔に整列している。本実施形態においては５つの区画凹部１２ｆが形成されている。区画凹部１２ｆの数はそれより多くても少なくてもよいが、最低３つであることが望ましい。
【００２７】
また、図３（ａ）に示すように、凹部１２ｃは、磁石１４が嵌入可能な大きさに設定されている。また、区画凹部１２ｆは、ローラ１６が収納可能でありかつローラ１６の直径よりも深く形成されている。更に、区画凹部１２ｆの内部には、２つのコイルばね１８が収納される。
【００２８】
また、図３（ｂ）に示すように、区画凹部１２ｆの内部側面における、クリップ片１２の幅方向に対向する両側面には、長穴１２ｇが形成されている。この長穴１２ｇは接離方向に延びている。
【００２９】
このように構成されたクリップ片１２に対し、磁石１４と、ローラ１６と、コイルばね１８と、キャップ２０と、ゴム部材２２とが装着される。
【００３０】
磁石１４は、クリップ片１２の凹部１２ｃに嵌入される永久磁石である。磁石１４としては、例えばネオジム磁石のような吸着力が高い磁石が適用可能である。磁石１４の形状は、磁石１４が凹部１２ｃに嵌入された場合に、磁石１４の表面が斜面部１２ｂ及び平面部１２ａの表面と面一になるように設定されている。また、磁石１４の表面の磁極は、一対のクリップ片１２、１２において互いに異なるようにする。具体的には、一対のクリップ片１２、１２における一方のクリップ片１２の磁石１４、１４の表面の磁極がＮ極となり、他方のクリップ片１２の磁石１４、１４の表面の磁極がＳ極となるように設定される。これにより、一対のクリップ片１２、１２は、互いに対向する磁石１４が吸着することよって図１に示すように一体化する。
【００３１】
図４は、ローラ１６及びコイルばね１８のクリップ片１２への取付構造を示す斜視図である。ローラ１６は、中心軸に沿って円柱状の貫通孔が形成されているローラ体１６ａと、ローラ体１６ａの貫通孔に挿入され、ローラ体１６ａを回転自在に支持する回転軸１６ｂとから構成されている。ローラ体１６ａのローラ面には中心軸方向に延びる溝が周回方向に並んで形成されている。ローラ体１６ａの円形の両側面の中心からは、回転軸１６ｂが延出している。この回転軸１６ｂの両端部が、図２（ｂ）に示す長穴１２ｇに遊嵌する。これにより、区画凹部１２ｆの内部にローラ１６が回転自在でかつローラ１６の一部が区画凹部１２ｆから突出、引込自在に可能に収納される。この時、回転軸１６ｂは、幅方向を向いており、５つのローラ１６の回転軸１６ｂはそれぞれ平行かつ等間隔である。このため、５つのローラ１６は、クリップ片１２の長手方向に沿って回転する。
【００３２】
コイルばね１８は、ローラ１６の回転軸方向の両端部に配置されており、図４に示すようにコイルばね１８の一端部は区画凹部１２ｆの底面に固定されており、他端部は回転軸１６ｂに固定されている。ここで、コイルばね１８は接離方向に縮んだ状態で区画凹部１２ｆに収納されているため、ローラ１６は、常時、コイルばね１８によって区画凹部１２ｆから突出する方向に付勢される。このため、クリップ片１２単独では、図２（ｂ）に示すように、平面部１２ａの表面からローラ１６の一部が突出する。
【００３３】
また、図２、図３において、キャップ２０は、斜面部１２ｂ、１２ｂに被せる部材であり、間接活線工具に斜面部１２ｂ、１２ｂを把持させる際に、間接活線工具から斜面部１２ｂ、１２ｂが滑って外れないようにするための部材であり、例えば、表面に凹凸が形成されているゴム部材が適用可能である。
【００３４】
ゴム部材２２は、仕切部１２ｅのクリップ片に対向する端部、すなわち仕切部１２ｅの頂面に固定される弾性部材である。
【００３５】
そして、磁石１４と、ローラ１６と、コイルばね１８と、キャップ２０と、ゴム部材２２とが装着された一対のクリップ片１２、１２を互いに対向させ、対向する磁石１４、１４同士を互いに吸着させることにより、図１に示すように電線クリップ１が構成される。
【００３６】
図５は、第１実施形態の電線クリップ１の内部構成を示す断面図である。通常状態の電線クリップ１においては、図５に示すように、一対のクリップ片１２、１２における平面部１２ａの領域内に配置されている磁石１４、１４の面同士が磁力によって吸着しかつ当接している。この時、クリップ片１２の斜面部１２ｂ、１２ｂの領域に配置されている磁石１４、１４の面同士は、互いに離間した状態で対向している。通常状態においては、一対のクリップ片１２、１２における平面部１２ａが対向する方向が接離方向に一致する。
【００３７】
また、通常状態の電線クリップ１において、互いに対向するローラ１６、１６は、互いに当接するとともに凹部１２ｄの内部に位置付けられる。この時、コイルばね１８は縮んだ状態であるため、ローラ１６はコイルばね１８によって対向するクリップ片の１２の平面部側に付勢され、一対のクリップ片１２、１２に固定されたローラ１６同士が、互いに押圧された状態で当接する。また、通常状態において、仕切部１２ｅの頂面は互いに対向するため、一対のクリップ片１２、１２に固定されたゴム部材２２同士は、互いに当接する。
【００３８】
次に、図６、図７を参照しながら第１実施形態の電線クリップ１の取付操作について説明する。
【００３９】
図６は、電線クリップ１を活線工具５０で挟んだ状態を示す説明図、図７は、図６の状態から電線クリップ１を活線工具５０で更に挟み付けた状態を示す説明図である。
【００４０】
まず、作業員は、活線工具５０を操作して、図６に示すように、電線クリップ１の両端部における一方の端部において互いに対向しているキャップ２０、２０を、活線工具５０の掴み部５０ａで把持させ、更に、図７に示すように、活線工具５０によってキャップ２０、２０を挟み付けることによって、キャップ２０、２０を当接させる。この時、一対のクリップ片１２は、活線工具５０によって把持された側の斜面部１２ｂ近傍の磁石１４、１４同士が吸着した部位を軸として回動し、他方の端部において互いに対向する斜面部１２ｂ，１２ｂを離間させる。この時、斜面部１２ｂ，１２ｂ近傍の磁石１４、１４が互いに吸着可能な距離に配置される。
【００４１】
更に、作業員は、この状態で活線工具５０を操作して、図７に示すように、電線クリップ１の他方の端部において互いに対向しているキャップ２０、２０の間に電線１００を位置付けてから電線クリップ１を押し込む。電線１００がローラ１６間と通過する際にローラ１６が回転する。
【００４２】
これにより、電線１００は、一方の端部側に移動して一対のクリップ片１２の平面部１２ａにおける所定部位に位置付けられ、クリップ片１２の平面部１２ａから突出する４つのローラ１６によって挟持される。更に、電線クリップ１は、電線クリップ１の一端部においては、対向する磁石１４、１４が吸着しており、電線クリップ１の他端部においては、対向する磁石１４、１４が離間している状態で維持される。
【００４３】
最後に、作業員は、活線工具５０を操作して、電線クリップ１から活線工具５０を取外す。これにより、電線クリップ１の取付作業が完了する。
【００４４】
電線クリップ１が電線１００に取付けられた状態においては、電線クリップ１の他端部において対向する磁石１４、１４は離間しているものの、対向する磁石１４、１４の間に吸着力が作用している。このため、電線クリップ１の他端部における磁石１４、１４間の吸着力がローラ１６及びゴム部材２２を介して電線１００に作用する。これにより、電線１００は、クリップ本体１０によって挟まれ、複数のローラ１６及びゴム部材２２によって確実に支持される。
【００４５】
なお、上述した取付作業においては、電線クリップ１の両端部における一方の端部において互いに対向しているキャップ２０、２０を、活線工具５０の掴み部５０ａで把持させているが、電線クリップ１他方の端部において互いに対向しているキャップ２０、２０を、活線工具５０の掴み部５０ａで把持させて、電線１００に電線クリップ１を取付けることも可能である。
【００４６】
また、上述した取付作業においては、作業員が、活線工具５０を操作して、図７に示すように、電線クリップ１の両端部における一方の端部において互いに対向しているキャップ２０、２０を当接させて、他方の端部の磁石１４、１４を離間させているが、それに限るものでなない。例えば、作業員は、活線工具５０を操作して、電線クリップ１の両端部における一方の端部を他方の端部の磁石１４、１４が離間しないように保持させ、図６に示すように、他方の端部の磁石１４、１４が吸着したまま、他方の端部のキャップ２０、２０の間に電線１００を位置付けてから電線クリップ１を押し込む。この時、電線１００が磁石１４、１４を離間させながら移動して、平面部１２ａの間に到達する。電線１００が磁石１４、１４を通過した後は、電線クリップ１の他端部の磁石１４、１４の間に吸着力がローラ１６を介して電線１００に作用する。これにより、電線１００は、電線クリップ１によって確実に挟持される。
【００４７】
他にも、作業員は、活線工具５０を操作して、電線クリップ１の両端部における一方の端部を、他方の端部の磁石１４、１４が若干離間する程度に保持させてもよい。これにより、電線１００が磁石１４、１４の間を通りやすくすることが可能になる。
【００４８】
特に、電線クリップ１を電線１００に対して直角に取付け、電線１００を４本のローラ１６によって把持させた場合には、電線クリップ１が自重によって回転しようとしても、電線１００が２つのローラ１６、１６を乗り越えることは困難になる。このため、電線クリップ１は、電線１００に取付けられた際に、電線１００に対して直角方向を向いた状態を保つことが可能になり、電線１００上における電線クリップ１の移動を低減することが可能になる。
【００４９】
電線１００から電線クリップ１を取外す際には、作業員は、活線工具５０を操作して、電線クリップ１の両側のいずれか一方のキャップ２０、２０を把持する。そして、作業員は、活線工具５０を操作して、電線クリップ１の端部を引っ張る。これにより、電線１００は、ローラ１６を回転させながら平面部１２ａを移動し、磁石１４、１４の間を通過する。これにより、電線１００から電線クリップ１が取外される。
【００５０】
なお、電線１００から電線クリップ１を取外す際に、活線工具５０を操作して、磁石１４、１４が吸着している側の端部のキャップ２０、２０を把持するか、磁石１４、１４が離間している側の端部のキャップ２０、２０を把持するかは、作業員が作業環境に応じて適宜決定するとよい。
【００５１】
以上、説明したように構成された本発明の第１実施形態によれば、一対のクリップ片１２、１２の両端部の磁石１４、１４が互いに吸着している状態においては、互いに対向するローラ１６、１６はコイルばね１８の付勢によって当接した状態にある。また、電線を電線クリップ１で挟む際には、間接活線工具を用いて、クリップ本体１０の一方の端部において互いに対向する斜面部１２ｂ、１２ｂが閉じられることにより、他方の端部が開かれ、他方の端部からの電線の挿入が可能になる。そして、電線クリップ１に電線が挿入された場合に、電線は、コイルばね１８によって付勢されている互いに対向するローラ１６によって把持される。更に、間接活線工具を電線クリップ１から外した場合に、クリップ本体１０の他方の端部において互いに対向する磁石１４、１４間に吸着力が作用することにより、他方の端部が閉じる方向に力が作用する。これにより、電線は、電線クリップ１を取付けた際に、磁石１４、１４の吸着力及びコイルばね１８による付勢力によって把持されるため、電線クリップ１を確実に電線に取り付けることが可能になる。
【００５２】
また、電線クリップ１を電線に対して取付及び取外しを行う際に、電線クリップ１を電線に対して押し込んだり引いたりすることにより、電線が、ローラ１６を回転させながら互いに対向する平面部１２ａの間を移動する。このため、電線と平面部１２ａとの摩擦負荷が軽減され、電線に対する取付及び取外しを円滑に行うことが可能な電線クリップ１を提供することが可能になる。
【００５３】
また、第１実施形態によれば、ローラ１６が、平面部１２ａに形成された凹部１２ｄの内部に設けられることにより、ローラ１６、１６同士が確実に対向するようになる。このため、電線クリップ１のローラ１６によって、電線を確実に把持させることが可能になる。更に、ローラ１６は、電線クリップの電線に対する取付及び取外しの際に、回転しながら凹部１２ｄに対して突出及び引き込みを行う。これにより、電線が、互いに対向する平面部１２ａの間を容易に移動することが可能になる。
【００５４】
また、第１実施形態によれば、仕切部１２ｅの頂上にゴム部材２２が設けられていることにより、電線が、ローラ１６、１６とともに２つのゴム部材２２、２２によって挟持されるようになるため、電線に電線クリップ１を確実に取付けることが可能になる。
【００５５】
［第２実施形態］
図８は、本発明の第２実施形態における電線クリップ１の内部構成を示す断面図である。なお、図８に示す第２実施形態において、図１〜図７に示す第１実施形態における部材と同一の部材、あるいは同一機能の部材については、同一の符号を付して詳細な説明は、省略する。第２実施形態における電線クリップ１は、スライダ４０と、第２ばね部材に相当する磁石用コイルばね４２とを更に備えている。
【００５６】
図１〜図７に示す第１実施形態においては、クリップ本体１０に対して磁石１４が固定されているが、図８に示す第２実施形態は、クリップ本体１０に対して磁石１４が突出、引き込み可能に構成したものであり、図１〜図７に示す第１実施形態における凹部１２ｃの代わりに、図８に示す第２実施形態においては、図２に示す凹部１２ｃよりも大きい凹部１２ｈがクリップ本体１０に形成されている。この凹部１２ｈが第２凹部に相当する。
【００５７】
スライダ４０は、板状の中央部とこの中央部の両側部から延びる側板部４０ａ、４０ａからなる平面視Ｕ字型に成形された部材であり、Ｕ字型の中央部における側板部４０ａ、４０ａが延びる方向の反対側の面に磁石１４が固定される。また、側板部４０ａ、４０ａの先端部は鉤状に形成されている。
【００５８】
また、凹部１２ｈは、スライダ４０及び磁石１４が収納可能な大きさに形成されており、凹部１２ｈの開口縁部には内側に突出する突出部１２ｉが形成されている。
【００５９】
磁石用コイルばね４２は、凹部１２ｈの内部に配置され、スライダ４０を付勢する部材である。磁石用コイルばね４２の伸縮方向は、コイルばね１８の伸縮方向と同一である。
【００６０】
そして、凹部１２ｈの内部に磁石用コイルばね４２が収納され、更に、磁石１４を固定したスライダ４０が収納される。この時、スライダ４０は、凹部１２ｈの内部においてスライド移動自在であり、磁石１４は凹部１２ｈから突出及び引き込み可能になる。
【００６１】
また、磁石用コイルばね４２は、通常状態において、磁石１４が凹部１２ｈから若干突出するように調整されている。また、スライダ４０は、側板部４０ａ、４０ａの先端部が凹部１２ｈの開口縁部の突出部１２ｉに当接するまで突出可能である。
【００６２】
図８は、本発明の第２実施形態における電線クリップ１の通常状態を示しており、一対のクリップ片１２、１２の磁石１４を吸着させた状態において、互いに対向する平面部１２ａの間に若干の隙間が形成されるとともに、互いに対向するローラ１６、１６が当接している。
【００６３】
次に、図９を参照しながら第２実施形態の電線クリップ１の取付操作について説明する。
【００６４】
図９は、電線クリップ１を活線工具５０で挟んだ状態を示す説明図である。まず、作業員は、活線工具５０を操作して、電線クリップ１の両端部における一方の端部において互いに対向しているキャップ２０、２０を、活線工具５０の掴み部５０ａで把持させ、図９に示すように、キャップ２０、２０を当接させる。
【００６５】
この時、互いに吸着している活線工具５０側の磁石１４、１４が凹部１２ｈ内に引き込み、磁石１４、１４の表面が平面部１２ａの一部及び斜面部１２ｂに面一になる。また、一対のクリップ片１２は、活線工具５０によって把持された側の斜面部１２ｂ近傍の磁石１４、１４同士が吸着した部位を軸として回動し、他方の端部において互いに対向する斜面部１２ｂ、１２ｂを離間させる。
【００６６】
ここで、一対のクリップ片１２が回動している際に、電線クリップ１の他方の端部において、磁石１４、１４同士が吸着したまま凹部１２ｈから突出するが、他方の端部が所定の間隔以上離れた場合に、磁石１４、１４が離間する。ここで、磁石１４、１４の間には離間した後も吸着力が作用するため、磁石１４は凹部１２ｈから突出した状態で維持される。
【００６７】
そして、作業員は、この状態で活線工具５０を操作して、電線クリップ１の他方の端部において互いに対向しているキャップ２０、２０を、電線１００に向けて近づける。更に、作業員は、他方の端部のキャップ２０、２０の間に電線１００を位置付けてから電線クリップ１を押し込む。
【００６８】
これにより、電線１００は、ローラ１６を回転させながら電線クリップ１の一方の端部側に移動して、一対のクリップ片１２の平面部１２ａにおける所定部位に位置付けられ、第１実施形態の電線クリップ１と同様に電線１００に取付けられる。
【００６９】
また、作業員は、電線クリップ１から活線工具５０を取外す。この時、電線クリップ１の一方の端部において磁石１４、１４が凹部１２ｈを突出することにより、一対のクリップ片１２が若干回動して電線クリップ１の他方の端部において磁石１４、１４が近づいて互いに吸着する。これにより、図１０に示すように、電線１００が電線クリップ１によって把持される。
【００７０】
電線１００から電線クリップ１を取外す際には、作業員は、活線工具５０を操作して、電線クリップ１の両側のいずれか一方のキャップ２０、２０を把持する。そして、作業員は、活線工具５０を操作して、電線クリップ１の端部を引っ張る。これにより、電線１００は、ローラ１６を回転させながら平面部１２ａを移動し、磁石１４、１４の間を通過して、電線１００から電線クリップ１が取外される。
【００７１】
以上、説明したように構成された本発明の第２実施形態によれば、第１実施形態の電線クリップ１と同様の効果を奏するとともに、クリップ本体１０において対をなす一方の斜面部１２ｂ、１２ｂが閉じられ、他方の斜面部１２ｂ、１２ｂが互いに離間している場合に、他方の斜面部１２ｂ、１２ｂ近傍の磁石１４、１４が平面部１２ａから突出することにより、他方の斜面部１２ｂ、１２ｂ側において互いに対向する磁石１４、１４間の距離が短くなる。これにより、磁石１４、１４間の吸着力が強く作用するため、離間している他方の斜面部１２ｂ、１２ｂ側を閉じる方向に付勢することが可能になる。これにより、電線１００を確実に把持することが可能になる。
【００７２】
なお、本発明の第２実施形態においては、クリップ片１２に凹部１２ｈ、１２ｈを形成し、この凹部１２ｈ、１２ｈの内部でスライダ４０をスライドさせているが、磁石１４、１４が平面部１２ａから突出させる構成であれば、上記の構成に限るものではない。例えば、凹部１２ｈ、１２ｈの代わりに、クリップ片１２における平面部１２ａの長手方向両端部の側面に、接離方向に延びる溝を形成し、スライダ４０の側板部４０ａ、４０ａをこの溝の内部に位置付け、スライダ４０の側板部４０ａ、４０ａがクリップ片１２の外側で摺動することによって、スライダ４０をスライド移動させてもよい。
【符号の説明】
【００７３】
１  電線クリップ
１０  クリップ本体
１２  クリップ片
１２ａ  平面部
１２ｂ  斜面部
１２ｃ  凹部
１２ｄ  凹部
１２ｅ  仕切部
１２ｆ  区画凹部
１２ｇ  長穴
１２ｈ  凹部
１４  磁石
１６  ローラ
１６ａ  ローラ体
１６ｂ  回転軸
１８  コイルばね
２０  キャップ
２２  ゴム部材
４０  スライダ
４０ａ  側板部
４２  磁石用コイルばね
５０  活線工具
５０ａ  掴み部
１００  電線
【要約】
【課題】電線に対する取付及び取外しを円滑に行えることを実現した電線クリップを提供する。
【解決手段】電線クリップ１は、長手方向に延びる平面部１２ａ及び平面部１２ａの長手方向の両端部に形成される斜面部１２ｂを有する一対のクリップ片１２からなるクリップ本体１０と、平面部１２ａにおける長手方向の両側部に配置され、一対のクリップ片１２を組み合わせる磁石１４と、平面部１２ａの中央部に長手方向に沿って複数並べられかつ対向する平面部１２ａ側に移動可能に設けられるローラ１６と、平面部１２ａに設けられ、ローラ１６を付勢するコイルばね１８とを備え、クリップ本体１０は、一方の端部で対向する斜面部１２ｂを閉じた場合に、他方の端部で対向する斜面部１２ｂを離間させるとともに磁石１４を互いに吸着可能な距離に配置させ、コイルばね１８は、通常状態において、ローラ１６を平面部１２ａから離間させる方向に付勢する。
【選択図】図１【図１】
0005461673.tif 000002
【図２】
0005461673.tif 000003
【図３】
0005461673.tif 000004
【図４】
0005461673.tif 000005
【図５】
0005461673.tif 000006
【図６】
0005461673.tif 000007
【図７】
0005461673.tif 000008
【図８】
0005461673.tif 000009
【図９】
0005461673.tif 000010
【図１０】
0005461673.tif 000011